(57)【特許請求の範囲】
【請求項１】
基板上に予め形成されたピットの形態で情報が記録されている既記録領域と、任意の情報の追記が可能な追記領域とを有する光情報記録媒体において、
各前記ピット間をトラック方向に沿って、ピットと少なくとも一旦が離隔されると共に、ピット間を繋ぐように形成されたピット間グルーブを有し、
前記ピットとピット間グルーブからなるピット列は、トラック方向に沿って蛇行してなることを特徴とする光情報記録媒体。
【発明の詳細な説明】
【０００１】
【発明の属する技術分野】
本発明は、レーザー光により記録、反射光によって記録データを再生する光情報記録媒体に関し、プリマスタリングでデータが記録されたＲＯＭ領域と追記可能な記録可能領域であるＲＡＭ領域とを有するＣＤ−Ｒ、及びＣＤ−ＲＷのハイブリッドディスクに関する。
【０００２】
【従来の技術】
近年、大容量の記録媒体として、記録再生装置から照射されるレーザー光の反射光強度の差によって、記録されている情報を再生させるようにした光情報記録媒体が広く普及している。
【０００３】
光情報記録媒体の一つである書き込み可能なコンパクトディスク、即ちＣＤ−Ｒにおいて、基板上に予め形成されたピットの形態で情報が記録されているＲＯＭ部と、基板上に設けられた光吸収層を加熱して相変化を生じさせる等によって情報を追記することが可能なＲＡＭ部とを有するハイブリッドＣＤ−Ｒが有る。
【０００４】
例えば、特許第２５８０８２０号には、ピットの深さと色素層の複素屈折率、再生光波長を限定することによって、ＲＯＭ部信号がＯＢ(Orange Book)の規格に合う再生信号を得るようにした光学的記録媒体円盤が開示されている。
【０００５】
【発明が解決しようとする課題】
ところで、一般的に、記録再生装置は、ＴＯＣ(Table of Contents)部におけるトラックサーボ信号を基準として設定したサーボゲインでトラックサーボを行う。
【０００６】
トラックサーボ信号はＲＡＭ部未記録部がPush-pull／Ig、ＲＯＭ部、追記部がPush-pull／Igaであり、これらの２つの信号比は未記録部／追記部でのＮＰＰＲ(Normalize Push-Pull Ratio)という特性項目でＯＢ規格に規定されており、０．５〜１．０の値になっている。ＲＯＭ部のない通常のＣＤ−Ｒでは、ＴＯＣ部に対するトラックサーボ信号変化を最大-５０％まで認めている。
【０００７】
ハイブリッドＣＤ−Ｒでは、ＲＯＭ部がＯＢ規格を満たすようにピット部が形成されているにも関わらず、一般にＲＯＭ部からのプッシュプル信号値はＲＡＭ部(未記録)からのプッシュプル信号値の半分程度である為、サーボ信号比(ＲＡＭ部：未記録部／ＲＯＭ部)は１．０を超えてしまう。ＮＰＰＲは、一般に、０．８程度である事もあり、この場合のサーボ信号比（ＲＡＭ部：追記部／ＲＯＭ部）は、さらに大きくなり、１．５を超える場合も有る。
【０００８】
また、通常、記録再生装置では、単一の光情報記録媒体の読み取り面上でのトラックサーボに関して、変動幅が±３ｄＢ(±約４０％)以内の範囲に収まるようなサーボゲインを要求する。
【０００９】
しかし、ＲＡＭ部において情報が追記されることにより形成された記録領域、未記録領域およびＲＯＭ部のように３つの読取領域を有する光情報記録媒体では、これら３つの各領域毎にサーボゲインが変動し、上述したように５０％を超える場合が起きる。
【００１０】
このため、オレンジブックの規格を満たしているハイブリッドＣＤ−Ｒでも、トラックサーボにおけるサーボゲインが±３ｄＢ以内の範囲を逸脱してしまうことがあり、記録再生装置での情報の記録／再生に際して、トラッキングが外れてしまうという不都合が生じる。
【００１１】
加えて、特開平５−３６０８７号には、ＲＯＭ部にウォブリンググルーブを設けることにより、ＲＯＭ部におけるＡＴＩＰ(Absolute Time In Pregroove)信号のＣ／Ｎ(Carrier-to-Noise ratio)の向上を図るようにした技術が開示されているが、同公報に開示された技術では、トラックサーボにおけるサーボゲインが上述した３つの読取領域においてばらつくことによる上述の不具合を解決することはできない。
【００１２】
また、同公報に開示された技術では、ＲＯＭ部にウォブリンググルーブを設けることにより、再生時のＨＦ信号の反射率(Ｒｔｏｐ)が低下し、これによって変調度が低下してしまうことが懸念される。
【００１３】
変調度の低下を防止するためには、ピットを深く形成することが考えられるが、ピットを深く形成することによりピットにおいて光吸収層を良好に形成することが困難となる。
【００１４】
この対策として、光吸収層をピットが形成されていないＲＡＭ部にのみ設けるようにすることが考えられるが、光吸収層をＲＡＭ部にのみ設ける場合、ＲＯＭ部とＲＡＭ部との境界における塗り分けが困難である。
【００１５】
本発明は、トラックサーボに際してのサーボゲインのばらつきを抑制することができる光情報記録媒体を得ることを目的とする。
【００１６】
【課題を解決するための手段】
請求項１記載の発明の光情報記録媒体は、基板上に予め形成されたピットの形態で情報が記録されている既記録領域と、任意の情報の追記が可能な追記領域とを有する光情報記録媒体において、各前記ピット間をトラック方向に沿って繋ぐようにして、ランド部との間の片路の光学的位相差ΔＳｇが、λ／６４＜ΔＳｇ＜１．５λ／１６ただしλ：光源波長となるように前記ピットとは異なるピット間グルーブを形成した。
【００１７】
したがって、ピット間グルーブを形成することによりピット間グルーブからのＡＴＩＰ信号を得ることが可能になる。また、ランド部との間の片路の光学的位相差ΔＳｇが、λ／６４＜ΔＳｇ＜１．５λ／１６となるようにピット間グルーブを形成することにより、ピットを格別深く形成することなく再生時のＨＦ信号の反射率をオレンジブックの規格内に収めるとともに、追記領域において情報が追記されることにより形成された記録領域、未記録領域および既記録領域の３つの読取領域におけるトラックサーボに際してのサーボゲインのばらつきを抑制することが可能になる。
【００１８】
請求項２記載の発明は、請求項１記載の光情報記録媒体において、前記ピットと前記ランド部との間の片路の光学的位相差ΔＳｐとの関係が、λ／６４＜ΔＳｇ＋(λ／４−ΔＳｐ)＜１．５λ／１６となるように前記ピット間グルーブを形成した。
【００１９】
したがって、ピットとランド部との間の片路の光学的位相差をΔＳｐとすると、λ／６４＜ΔＳｇ＋(λ／４−ΔＳｐ)＜１．５λ／１６となるようにピットおよびピット間グルーブを形成することにより、ピットとランド部との間の片路の光学的位相差ΔＳｐに応じたピット間グルーブを形成して、記録領域、未記録領域および既記録領域の３つの読取領域におけるトラックサーボに際してのサーボゲインのばらつきをより効果的に抑制することができる。
【００２０】
請求項３記載の発明の光情報記録媒体は、基板上に予め形成されたピットの形態で情報が記録されている既記録領域と、任意の情報の追記が可能な追記領域とを同一平面上に有する前記基板の当該同一平面上に色素層、反射層、保護層が順次積層されている光情報記録媒体において、前記基板の屈折率がｎｓ、前記色素層の屈折率がｎｄである場合に、各前記ピット間をトラック方向に沿って繋ぐようにして、前記基板表面からの深さがｄ１、前記反射層側の前記色素層表面からの深さがｄ２、前記ランド部との間の片路の光学的位相差ΔＳｇが、ΔＳｇ＝ｄ１・ｎｓ−(ｄ１−ｄ２)ｎｄただしλ：光源波長、λ／６４＜ΔＳｇ＜１．５λ／１６となるように前記ピットとは異なるピット間グルーブを形成した。
【００２１】
したがって、ピット間グルーブを形成することによりピット間グルーブからのＡＴＩＰ信号を得ることが可能になる。また、ΔＳｇ＝ｄ１・ｎｓ−(ｄ１−ｄ２)ｎｄで表わされるランド部との間の片路の光学的位相差ΔＳｇがλ／６４＜ΔＳｇ＜１．５λ／１６の範囲を満たすようにピット間グルーブを形成することにより、ピットを格別深く形成することなく再生時のＨＦ信号の反射率をオレンジブックの規格内に収めるとともに、追記領域において情報が追記されることにより同一平面上に形成された記録領域、未記録領域および既記録領域の３つの読取領域におけるトラックサーボに際してのサーボゲインのばらつきを抑制することが可能になる。
【００２２】
請求項４記載の発明は、請求項３記載の光情報記録媒体において、前記ピットの前記基板表面からの深さがｄ３、前記反射層側の前記色素層表面からの深さがｄ４であり、前記ピットと前記ランド部との間の片路の光学的位相差ΔＳｐが、ΔＳｐ＝ｄ３・ｎｓ−(ｄ３−ｄ４)ｎｄである場合にこの光学的位相差ΔＳｐとの関係が、λ／６４＜ΔＳｇ＋(λ／４−ΔＳｐ)＜１．５λ／１６となるように前記ピット間グルーブを形成した。
【００２３】
したがって、ΔＳｐ＝ｄ３・ｎｓ−(ｄ３−ｄ４)ｎｄで表わされるピットとランド部との間の片路の光学的位相差をΔＳｐとすると、λ／６４＜ΔＳｇ＋(λ／４−ΔＳｐ)＜１．５λ／１６となるようにピットおよびピット間グルーブを形成することにより、ピットとランド部との間の片路の光学的位相差ΔＳｐに応じたピット間グルーブを形成して、記録領域、未記録領域および既記録領域の３つの読取領域におけるトラックサーボに際してのサーボゲインのばらつきをより効果的に抑制することができる。
【００２４】
請求項５記載の発明は、請求項１、２、３または４記載の光情報記録媒体において、前記ピットと前記ピット間グルーブとによって形成されるピット列は、トラック方向に対して蛇行している。
【００２５】
したがって、ピットのみの場合と比べてより良好なＡＴＩＰ信号を得ることが可能になる。
【００２６】
【発明の実施の形態】
本発明の第１の実施の形態について図１ないし図４を参照して説明する。本実施の形態は、光情報記録媒体としてハイブリッドＣＤ−Ｒへの適用例を示す。
【００２７】
図１は、本発明の第１の実施の形態のハイブリッドＣＤ−Ｒを示す斜視図である。本実施の形態のハイブリッドＣＤ−Ｒ(Hybrid Compact Disk Recordable)１は、直径１２０ｍｍの円盤形状を有しており、点線(仮想中心から３５ｍｍの位置)Ｌより内周側に設けられた既記録領域としてのＲＯＭ部２と、点線Ｌより外周側に設けられた追記領域としてのＲＡＭ部３とを備えている。ＲＯＭ部２には予め情報が記録されており、ＲＡＭ部３には任意の情報を追記することが可能である。ＲＡＭ部３では、情報が追記されることによって、情報が追記された記録領域と、情報が記録されていない未記録領域(ともに図示せず)とが形成される。
【００２８】
ハイブリッドＣＤ−Ｒ１の最も内周には、図示しないＴＯＣ(Table Of Contents)部が設けられている。ＴＯＣ部には、ハイブリッドＣＤ−Ｒ１に記録される各種情報の記録順序や記録量等にかかる情報が記録されている。
【００２９】
図２は、ハイブリッドＣＤ−Ｒ１をＡ−Ａで断面した場合の点線Ｌ付近を一部拡大して示す斜視図である。ＲＯＭ部２には、複数のピット４がトラック方向に沿って形成されている。トラック方向において、各ピット４間には、各ピット４間をトラック方向に沿って繋ぐようにして、ウォブルしたピット間グルーブ５が形成されている。ここに、ピット４およびピット間ルーブ５によってピット列６が形成されている。
【００３０】
加えて、ＲＡＭ部３には、プリグルーブ７が連続的に形成されている。
【００３１】
また、ピット列６およびプリグルーブ７は、トラックピッチが１．６μｍになるように形成されており、トラック方向に沿ってウォブル(蛇行)している。
【００３２】
図３は、ハイブリッドＣＤ−Ｒ１の一部を拡大して示す平面図である。ＲＯＭ部２において、ピット４およびウォブルしたピット間グルーブ５以外の部分(ランド部)には、ピット４に隣接するピット隣接ランド部８と、ウォブルしたピット間グルーブ５に隣接するピット間グルーブ隣接ランド部９とがある。ピット隣接ランド部８とピット間グルーブ隣接ランド部９とは、図３にＭで示すように、場所によっては重複している。
【００３３】
図４は、ハイブリッドＣＤ−Ｒ１の一部を示す断面図である。ハイブリッドＣＤ−Ｒ１は、ピット４、ウォブルしたピット間グルーブ５、プリグルーブ７の上に色素層としての光吸収層１１、反射層１２および保護層１３が順次積層されて形成されている。
【００３４】
以下に、本実施の形態のハイブリッドＣＤ−Ｒ１について、その形成工程を含めて詳細に説明する。
【００３５】
基板１０は、厚さ１．２ｍｍのポリカーボネート材料によって形成されている。基板１０にはピット４(図４(ａ)参照)、ピット列に沿ってウォブルしたピット間グルーブ５(図４(ｂ)参照)及びプリグルーブ７(図２参照)が形成されている。
【００３６】
光吸収層１１は、エチルシクロヘキサンからなる混合溶媒に分散させたフタロシアニン色素からなる光吸収層形成材料がスピンコート法によって表面に塗布された基板１０を１００℃で３０分加熱して混合溶媒を揮発させることによって形成されている。
【００３７】
反射層１２は、スパッタ法によって光吸収層１１上に成膜された銀(Ａｇ)によって形成されている。これによって、記録再生装置(図示せず)から照射されるレーザー光を反射することができる。
【００３８】
保護層１３は、反射層１２上にスピナーによって塗布された紫外線硬化樹脂に紫外線を照射することによって硬化させた下部保護層と、スクリーン印刷法によって塗布された紫外線による硬化性を有するインクを硬化させた上部保護層(いずれも図示せず)との２層構造とされている。
【００３９】
ところで、ＲＯＭ部２にウォブルしたピット間グルーブ５を設けることにより、再生時のＨＦ信号の反射率が低下し、これによって変調度が低下してしまうことが懸念される。
【００４０】
変調度の低下を防止するためには、ピット４を深く形成することが考えられるが、ピット４を深く形成することによりピット４において光吸収層１１を良好に形成することが困難となる。
【００４１】
ピット間グルーブ５は、ピット間グルーブ５からの反射光とピット間グルーブ隣接ランド部９からの反射光との間の片路の光学的位相差ΔＳｇが、以下の式によって表わされる範囲内となるように形成されている。
【００４２】
λ／６４＜ΔＳｇ＜１．５λ／１６
【００４３】
ここで、「片路」とは、図示しない記録再生装置での情報の記録／再生に際して、記録再生装置が備える光ピックアップから、光ピックアップから照射されたレーザー光が反射される位置までとする。ＣＤ−Ｒは、ピット４、ウォブルしたピット間グルーブ５、プリグルーブ７、ピット隣接ランド部８およびピット間グルーブ隣接ランド部９を有しているため、「片路」の距離はレーザー光が反射される位置によって異なる。
【００４４】
ランド部との間の片路の光学的位相差ΔＳｇが、λ／６４＜ΔＳｇ＜１．５λ／１６の範囲を満たすようにウォブルしたピット間グルーブ５を形成することにより、ピット４を格別深く形成することなく再生時のＨＦ信号の反射率をオレンジブックの規格内に収めて変調度の低下を防止するとともに、図示しない記録再生装置での情報の記録／再生に際してのＲＯＭ部２におけるサーボゲインを大きくしてトラックサーボに際しての３つの読取領域におけるサーボゲインのばらつきを抑制することにより、トラッキングが外れることを防止することができる。
【００４５】
次に、本発明の第２の実施の形態について説明する。本実施の形態は、ウォブルしたピット間グルーブ５とピット間グルーブ隣接ランド部９との間の片路の光学的位相差ΔＳｇが、ピット４からの反射光とピット隣接ランド部８からの反射光との間の片路の光学的位相差ΔＳｐに応じて設定される点が第１の実施の形態と異なる点である。
【００４６】
ピット間グルーブ５は、ピット４からの反射光とピット隣接ランド部８からの反射光との間の片路の光学的位相差がΔＳｐである場合に、ウォブルしたピット間グルーブ５とピット間グルーブ隣接ランド部９との間の片路の光学的位相差ΔＳｇが以下の式によって表わされる範囲内となるように設定されている。
【００４７】
λ／６４＜ΔＳｇ＋(λ／４−ΔＳｐ)＜１．５λ／１６
【００４８】
ＲＯＭ部２からのプッシュプル信号値は、ピット４およびピット隣接ランド部８からのプッシュプル信号値と、ウォブルしたピット間グルーブ５およびピット間グルーブ隣接ランド部９からのプッシュプル信号値とのトータルな値であるため、ピット４とピット隣接ランド部８との片路の光学的位相差をΔＳｐとすると、λ／６４＜ΔＳｇ＋(λ／４−ΔＳｐ)＜１．５λ／１６となるようにピットおよびウォブルしたピット間グルーブ５を形成することにより、ピット４を格別深く形成することなく再生時のＨＦ信号の反射率をオレンジブックの規格内に収めて変調度の低下を防止するとともに、ＲＡＭ部において情報が追記されることにより形成された記録領域、未記録領域およびＲＯＭ部の３つの読取領域におけるトラックサーボに際してのサーボゲインのばらつきをより効果的に抑制することができる。
【００４９】
次に、本発明の第３の実施の形態について説明する。本実施の形態では、ウォブルしたピット間グルーブ５における基板１０および光吸収層１１の深さに応じて、ウォブルしたピット間グルーブ５からの反射光とピット間グルーブ隣接ランド部９からの反射光との間の片路の光学的位相差ΔＳｇが設定される点が第１の実施の形態と異なる点である。
【００５０】
本実施の形態では、基板１０の屈折率はｎｓとされ、光吸収層１１の屈折率はｎｄとされている。また、ウォブルしたピット間グルーブ５において基板１０に形成された溝１５の深さがｄ１、ウォブルしたピット間グルーブ５における光吸収層１１と反射層１２との界面での光吸収層１１の窪み深さがｄ２とされている(図４(ｂ)参照)。
【００５１】
ウォブルしたピット間グルーブ５は、ウォブルしたピット間グルーブ５からの反射光とピット間グルーブ隣接ランド部９からの反射光との間の片路の光学的位相差ΔＳｇが、以下の式によって表わされるような範囲内に形成されている。
【００５２】
ΔＳｇ＝ｄ１・ｎｓ−(ｄ１−ｄ２)ｎｄ
ただし、λ／６４＜ΔＳｇ＜１．５λ／１６
【００５３】
ΔＳｇ＝ｄ１・ｎｓ−(ｄ１−ｄ２)ｎｄで表わされるピット間グルーブ隣接ランド部９との間の片路の光学的位相差ΔＳｇが、λ／６４＜ΔＳｇ＜１．５λ／１６の範囲を満たすようにウォブルしたピット間グルーブ５を形成することにより、ピット４を格別深く形成することなく再生時のＨＦ信号の反射率をオレンジブックの規格内に収めて変調度の低下を防止するとともに、図示しない記録再生装置での情報の記録／再生に際してのＲＯＭ部２におけるサーボゲインを大きくしてトラックサーボに際しての３つの読取領域におけるサーボゲインのばらつきを抑制することにより、トラッキングが外れることを防止することができる。
【００５４】
次に、本発明の第４の実施の形態について説明する。本実施の形態は、ピット４における基板１０および光吸収層１１の深さに応じて設定されるピット４からの反射光とピット隣接ランド部８からの反射光との間の片路の光学的位相差ΔＳｐに応じて、ウォブルしたピット間グルーブ５からの反射光とピット間グルーブ隣接ランド部９からの反射光との間の片路の光学的位相差ΔＳｇが設定される点が第３の実施の形態と異なる点である。
【００５５】
本実施の形態では、ピット４において基板１０に形成された溝１４の深さがｄ３とされ、ピット４における光吸収層１１と反射層１２との界面での光吸収層１１の窪み深さがｄ４とされている(図４(ａ)参照)。ピット４からの反射光とピット隣接ランド部８からの反射光との間の片路の光学的位相差ΔＳｐは、以下の式によって表わされる。
【００５６】
ΔＳｐ＝ｄ３・ｎｓ−(ｄ３−ｄ４)ｎｄ
【００５７】
また、本実施の形態では、ウォブルしたピット間グルーブ５は、ウォブルしたピット間グルーブ５とピット間グルーブ隣接ランド部９との間の片路の光学的位相差ΔＳｇが、以下の式によって表わされる範囲を満たすように形成されている。
【００５８】
λ／６４＜ΔＳｇ＋(λ／４−ΔＳｐ)＜１．５λ／１６
【００５９】
ＲＯＭ部２からのプッシュプル信号値は、ピット４部およびピット隣接ランド部８からのプッシュプル信号値と、ピット間グルーブ５およびピット間グルーブ隣接ランド部９からのプッシュプル信号値とのトータルな値であるため、ΔＳｐ＝ｄ３・ｎｓ−(ｄ３−ｄ４)ｎｄで表わされるピット４とピット隣接ランド部８との片路の光学的位相差をΔＳｐとすると、λ／６４＜ΔＳｇ＋(λ／４−ΔＳｐ)＜１．５λ／１６となるようにピット４およびピット間グルーブ５を形成することにより、記録領域、未記録領域および既記録領域の３つの読取領域におけるトラックサーボに関してのサーボゲインのばらつきをより効果的に抑制することができる。
【００６０】
ここで、本発明の発明者による実験結果を示す。ここでは、基板１０の屈折率ｎｓが１．５８、光吸収層１１の屈折率ｎｄが２．４、ピット４の基板深さｄ３が３００ｎｍ、幅(半径方向の寸法)が０．７μｍ、ウォブルしたピット間グルーブ５の基板深さｄ１が１５０ｎｍ、幅が０．６μｍ、ピット４における光吸収層と反射層との界面での光吸収層の窪み深さｄ４が１４０ｎｍ、ウォブルしたピット間グルーブ５における光吸収層と反射層との界面での光吸収層の窪み深さｄ２が７０ｎｍとされたＣＤ−Ｒを使用して測定を行った。
【００６１】
また、このときの反射層１２の厚さは１４００ｎｍとされ、下部保護層の厚さは５μｍ、上部保護層の厚さは約１０μｍに設定されている。
【００６２】
上記ＣＤ−Ｒを、光源波長λ＝７８０ｎｍのレーザー光源を備えるピックアップを有する記録再生装置(図示せず)で再生したところ、ＲＯＭ部２のピット４におけるサーボゲインと、ＲＡＭ部３の未記録領域におけるサーボゲインと、ＲＡＭ部３の記録領域におけるサーボゲインとの比は、１：０．９５：１．１９であることが確認された。この値は、記録再生装置が一般的に要求するサーボゲインの規格を十分に満足している。
【００６３】
【発明の効果】
請求項１記載の発明の光情報記録媒体によれば、ピット間グルーブを形成することによりピット間グルーブからのＡＴＩＰ信号を得ることが可能になるので、ＲＯＭ領域でのＡＴＩＰ信号のＣ／Ｎの向上を図ることができる。また、ランド部との間の片路の光学的位相差ΔＳｇが、λ／６４＜ΔＳｇ＜１．５λ／１６となるようにピット間グルーブを形成することにより、ピットを格別深く形成することなく再生時のＨＦ信号の反射率をオレンジブックの規格内に収めて変調度の低下を防止するとともに、追記領域において情報が追記されることにより形成された記録領域、未記録領域および既記録領域の３つの読取領域におけるトラックサーボに際してのサーボゲインのばらつきを抑制してトラッキングが外れることを防止することができる。
【００６４】
請求項２記載の発明によれば、請求項１記載の光情報記録媒体において、ピットとランド部との間の片路の光学的位相差をΔＳｐとすると、λ／６４＜ΔＳｇ＋(λ／４−ΔＳｐ)＜１．５λ／１６となるようにピットおよびピット間グルーブを形成することにより、記録領域、未記録領域および既記録領域の３つの読取領域におけるトラックサーボに際してのサーボゲインのばらつきをより効果的に抑制してトラッキングが外れることをより確実に防止することができる。
【００６５】
請求項３記載の発明の光情報記録媒体によれば、ピット間グルーブを形成することによりピット間グルーブからのＡＴＩＰ信号を得ることが可能になるので、既記録領域でのＡＴＩＰ信号のＣ／Ｎの向上を図ることができる。また、ΔＳｇ＝ｄ１・ｎｓ−(ｄ１−ｄ２)ｎｄで表わされるランド部との間の片路の光学的位相差ΔＳｇがλ／６４＜ΔＳｇ＜１．５λ／１６の範囲を満たすようにピット間グルーブを形成することにより、ピットを格別深く形成することなく再生時のＨＦ信号の反射率をオレンジブックの規格内に収めて変調度の低下を防止するとともに、追記領域において情報が追記されることにより同一平面上に形成された記録領域、未記録領域および既記録領域の３つの読取領域におけるトラックサーボに際してのサーボゲインのばらつきをきを抑制してトラッキングが外れることを防止することができる。
【００６６】
請求項４記載の発明によれば、請求項３記載の光情報記録媒体において、ΔＳｐ＝ｄ３・ｎｓ−(ｄ３−ｄ４)ｎｄで表わされるピットとランド部との間の片路の光学的位相差をΔＳｐとするとλ／６４＜ΔＳｇ＋(λ／４−ΔＳｐ)＜１．５λ／１６となるようにピットおよびピット間グルーブを形成することにより、記録領域、未記録領域および既記録領域の３つの読取領域におけるトラックサーボに際してのサーボゲインのばらつきをより効果的に抑制してトラッキングが外れることをより確実に防止することができる。
【００６７】
請求項５記載の発明によれば、請求項１、２、３または４記載の光情報記録媒体において、前記ピットと前記ピット間グルーブとによって形成されるピット列は、トラック方向に対して蛇行しているため、より良好なＡＴＩＰ信号を得ることが可能になるので、既記録領域でのＡＴＩＰ信号のＣ／Ｎのより向上を図ることができる。
【図面の簡単な説明】
【図１】本発明の第１の実施の形態のＣＤ−Ｒを示す斜視図である。
【図２】その断面を一部拡大して示す斜視図である。
【図３】ＣＤ−Ｒの一部を拡大して示す平面図である。
【図４】ＣＤ−Ｒの一部を示す断面図である。
【符号の説明】
１      光情報記録媒体
２      既記録領域
３      追記領域
４      ピット
５      ピット間グルーブ
６      ピット列
８，９  ランド部
１０      基板
１１      色素層
１２      反射層
１３      保護層
【図１】
0003844969.tif 000002
【図２】
0003844969.tif 000003
【図３】
0003844969.tif 000004
【図４】
0003844969.tif 000005